(57)【要約】【課題】ケ−ブルを複数回曲げたり反対方向に曲げる曲げ試験に適した、ケ−ブル湾曲治具を提供する。【解決手段】屈曲自在に形成されケーブル２の長手方向に沿って延びると共にケーブル２を両側から挟持するための一対の挟持部３と、これら挟持部３に設けられ挟持部３をケーブル２に取り付けるための取付バンド４と、円弧状に形成されケーブル２を挟持部３と共に湾曲させるとき挟持部３に当接して挟持部３の湾曲を規制する湾曲基準部材５と、挟持部３の長手方向の中央に設けられ湾曲基準部材５に係脱自在に係止される中心位置固定部６とを備えたものである。【選択図】図１
2013005686.tif 000002
【特許請求の範囲】
【請求項１】
屈曲自在に形成されケーブルの長手方向に沿って延びると共にケーブルを両側から挟持するための一対の挟持部と、これら挟持部に設けられ挟持部を上記ケーブルに取り付けるための取付バンドと、円弧状に形成され上記ケーブルを上記挟持部と共に湾曲させるとき挟持部に当接して挟持部の湾曲を規制する湾曲基準部材と、上記挟持部の長手方向の中央に設けられ上記湾曲基準部材に係脱自在に係止される中心位置固定部とを備えたことを特徴とするケーブル湾曲治具。
【発明の詳細な説明】
【技術分野】
【０００１】
本発明は、ケーブル湾曲治具に関し、特に通信ケ一ブル、配線ケ−ブル等のケーブルを複数回曲げるような曲げ試験に適したケーブル湾曲治具に関するものである。
【背景技術】
【０００２】
従来のケーブル湾曲治具としては、特許文献１記載のものが知られている。このケーブル湾曲治具は、ケーブルの湾曲対象箇所の内径側に宛がわれる支持部を備える。支持部は、ケーブルの最小曲げ半径に対応した曲率半径の円弧状に形成されており、ケ−ブルを最小曲げ半径を越えないように湾曲させることができる。
【先行技術文献】
【特許文献】
【０００３】
【特許文献１】特開２００９−１７１７９４号公報
【発明の概要】
【発明が解決しようとする課題】
【０００４】
しかしながら、上述のケーブル湾曲治具は、ケ−ブルを一方向に一回湾曲させることを目的としており、ケ−ブルを繰返し湾曲させる用途や反対方向へ湾曲させる用途に関しては考慮されていないため、曲げ試験に用いようとすると、複数回曲げる際や反対方向に曲げる際にケーブル湾曲治具をケーブルに巻き直さなければならないという問題があった。そのため、曲げ試験にはあまり適さなかった。
【０００５】
また、曲げ試験の際に、上記ケーブル湾曲治具を用いてケ−ブルを複数回曲げるとケ−ブルに捩れが発生する可能性があった。特に、撚り線を有するケーブルにあっては、曲げることで撚り線が動いて潰れ易く、捩れが発生する可能性があった。
【０００６】
そこで、本発明の目的は、上記課題を解決し、ケ−ブルを複数回曲げたり反対方向に曲げる曲げ試験に適した、ケ−ブル湾曲治具を提供することを目的とする。
【課題を解決するための手段】
【０００７】
上記課題を解決するために本発明は、屈曲自在に形成されケーブルの長手方向に沿って延びると共にケーブルを両側から挟持する一対の挟持部と、これら挟持部に設けられ挟持部を上記ケーブルに取り付けるための取付バンドと、円弧状に形成され上記ケーブルを上記挟持部と共に湾曲させるとき挟持部に当接して挟持部の湾曲を規制する湾曲基準部材と、上記挟持部の長手方向の中央に設けられ上記湾曲基準部材に係脱自在に係止される中心位置固定部とを備えたものである。
【発明の効果】
【０００８】
本発明によれば、ケ−ブルを複数回曲げたり反対方向に曲げる曲げ試験を容易に行うことができる。
【図面の簡単な説明】
【０００９】
【図１】本実施の形態に係るケーブル湾曲治具の平面図である。
【図２】ケーブルから取り外したケーブル湾曲治具の要部平面図である。
【図３】図２のＡ−Ａ線矢視図である。
【図４】ケーブル湾曲治具の要部平面図である。
【図５】図１のＢ−Ｂ線矢視断面図である。
【発明を実施するための形態】
【００１０】
本発明の実施の形態を図１乃至図５を用いて説明する。図１はケーブルに取り付けられ、ケーブルと共に湾曲されたケーブル湾曲治具の平面図であり、図２はケーブルから取り外されて本来の形状に戻ったケーブル湾曲治具の挟持部、補強部等の平面図である。なお、図１においては、説明の便宜上挟持部と湾曲基準部材が離間した状態で図示するが、ケーブル湾曲時の内周側の挟持部は湾曲基準部材に当接し、湾曲基準部材に沿って湾曲する。
【００１１】
図１に示すように、ケーブル湾曲治具１は、屈曲自在に形成されケーブル２を両側から挟持するための一対の挟持部３と、これら挟持部３に設けられ挟持部３をケーブル２に取り付けるための取付バンド４と、円弧状に形成されケーブル２を挟持部３と共に湾曲させるとき挟持部３に当接して挟持部３の湾曲を規制する湾曲基準部材５と、挟持部３の長手方向の中央に設けられ湾曲基準部材５に係脱自在に係止される中心位置固定部６とを備える。
【００１２】
図１、図２、図３及び図５に示すように、挟持部３は、ケーブル２の長手方向に沿って延びると共に周方向に沿って延びるシート状に形成されている。ケーブル２の長手方向に沿って延びる挟持部３の長さは、ケーブル２を曲げたときの屈曲部の長さと略同じとなるように設定されている。また、ケーブル２の周方向に沿って延びる挟持部３の幅は、ケーブル２の外周の半分未満に設定されており、一対の挟持部３間にケーブル２を挟んだとき挟持部３同士が当接しないようになっている。挟持部３は、合成ゴムからなり屈曲自在に形成されている。挟持部３は、ケーブル２を両側から挟み込むことでケーブル２を保持し、ケーブル２の捩れを防止する役目を果たし、更にケーブル２の損傷を防ぐ。
【００１３】
また、それぞれの挟持部３には、挟持部３を補強してケーブル２湾曲時の捩れ対策を強化するための補強部７が設けられている。補強部７は、挟持部３の長手方向に延びる板状に形成されており、ケーブル２に当接する側とは反対側の挟持部３に長手方向の中央に位置して設けられている。補強部７は、可撓性を有する合成樹脂からなり、挟持部３が湾曲したとき挟持部３と共に湾曲するようになっている。
【００１４】
取付バンド４は、伸縮性を有するゴムからなる。取付バンド４は、挟持部３に長さ方向に間隔を隔てて複数設けられており、ケーブル２が湾曲したとき挟持部３をケーブル２に追従して湾曲させるように機能する。
【００１５】
図４に示すように、湾曲基準部材５は、合成樹脂からなり弧状に形成されている。湾曲基準部材５の両端には固定バンド８が接続されている。固定バンド８は、ケーブル２を湾曲させるときに湾曲基準部材５を柱などの相手材（図示せず）に固定するためのものであり、合成ゴムからなる。湾曲基準部材５の外周部の周方向の中央には、後述する中心位置固定部６を係止するための固定用凹部９が形成されると共に補強部７を収容するための収容用凹部１０が形成されている。固定用凹部９は、中心位置固定部６と嵌合するように中心位置固定部６と同形状に形成されている。
【００１６】
図２及び図３に示すように、中心位置固定部６は、ケーブル２の湾曲中心位置を特定すると共に湾曲基準部材５に固定するためのものであり、補強部７に一体に形成された凸部１１からなる。凸部１１は、ケーブル２の径方向外方に突出すると共に、挟持部３の幅方向に長いブロック状に形成されている。
【００１７】
次に本実施の形態の作用を述べる。
【００１８】
ケーブル２を複数回曲げると共に反対方向にも曲げる曲げ試験を行う場合、まず、取付バンド４を伸張させながら挟持部３間にケーブル２を通し、ケーブル２に挟持部３を取り付ける。
【００１９】
次に、ケーブル２の両端を図示しない試験機に取り付けると共に、試験機の２つの相手材に湾曲基準部材５をそれぞれ取り付ける。
【００２０】
この後、試験機でケーブル２の両端を移動させてケーブル２を湾曲させる。このとき、挟持部３及び補強部７はケーブル２と一体に湾曲され、一方の挟持部３と一方の補強部７が一方の湾曲基準部材５に押し付けられる。ケーブル２は一対の挟持部３に保持されており、一方の中心位置固定部６が一方の湾曲基準部材５の固定用凹部９に嵌合されて係止されることでケーブル２の湾曲中心位置が固定されるため、ケーブル２に捩れが発生することはない。また、補強部７が収容用凹部１０と嵌め合わされることで、挟持部３が補強され、ケーブル２の捩れが更に強固に防止される。
【００２１】
ケーブル２の両端が反対側に移動されると、他方の挟持部３と他方の補強部７が他方の湾曲基準部材５に押し付けられる。このときも、他方の中心位置固定部６が他方の湾曲基準部材５に係止されてケーブル２の湾曲中心位置が固定されるため、ケーブル２に捩れが発生することはない。
【００２２】
このように、屈曲自在に形成されケーブル２の長手方向に沿って延びると共にケーブル２を両側から挟持するための一対の挟持部３と、これら挟持部３に設けられ挟持部３をケーブル２に取り付けるための取付バンド４と、円弧状に形成されケーブル２を挟持部３と共に湾曲させるとき挟持部３に当接して挟持部３の湾曲を規制する湾曲基準部材５と、挟持部３の長手方向の中央に設けられ湾曲基準部材５に係脱自在に係止される中心位置固定部６とを備えてケーブル湾曲治具１を構成したため、ケーブル２を複数回曲げたり、反対方向に曲げる曲げ試験を行う際に、中心位置固定部６、補強部４、挟持部３及び固定用凹部９によってケーブル２の湾曲中心位置を保つことができ、ケーブル２の捩れを防止することができる。ケーブル２の捩れを防止することで、ケーブル２の潰れ等の変形を防ぐことができると共に、ケーブル２の電気的特性及び機械的特性が劣化するのを防ぐことができ、正確に湾曲させることができる。また、挟持部３によりケーブル２が保護されるため、ケーブル２の表面への傷を防止することができる。
【００２３】
そして、ケーブル２を複数回曲げたり反対方向に曲げる曲げ試験を容易に行うことができ、例えば携帯基地局や各種の工場等に敷設される通信ケーブルや配線ケーブル等のケーブル２を湾曲させる曲げ試験等にケーブル湾曲治具１を適用することができる。
【００２４】
なお、中心位置固定部６は固定用凹部９に嵌合することで湾曲基準部材５に係止されるものとしたが、これに限るものではない。中心位置固定部６が凹部からなり、この凹部に嵌合される凸部が湾曲基準部材５に形成されるものであってもよい。また、中心位置固定部６は粘性を有するゴムであってもよく、湾曲基準部材５に引っ掛かるヤスリ状の粗い表面を有する板材であってもよい。
【符号の説明】
【００２５】
１  ケーブル湾曲治具
２  ケーブル
３  挟持部
４  取付バンド
５  湾曲基準部材
６  中心位置固定部
【図２】
2013005686.tif 000003
【図３】
2013005686.tif 000004
【図１】
2013005686.tif 000005
【図４】
2013005686.tif 000006
【図５】
2013005686.tif 000007